(57)【要約】      （修正有）【課題】縦位置・横位置対応収納式表示ユニットの操作性向上。【解決手段】表示ユニット位置を表示手段保持部材に対し、縦位置・横位置に回動する第１の回動手段と、表示ユニットを取出・収納する第２の回動手段を備え、第２の回動手段を収納位置に回動させる動作に連動して、第１の回動手段を横位置に回動させることにより、表示ユニット位置が縦位置・横位置どちらの状態でも、１アクションで収納可能な縦横両対応表示ユニット収納構造とする。【選択図】図１
2012123077.tif 000002
【特許請求の範囲】
【請求項１】
画像表示手段、画像表示手段保持部材を有し、前記画像表示手段が、前記画像表示手段保持部材に対し、第１の位置と第２の位置とを相対的に回動可能にする第１の回動手段と、前記画像表示手段保持部材が機器本体に対し、第３の位置と第４の位置とを相対的に回動可能にする第２の回動手段を具備し、前記第２の回動手段を第４の位置から第３の位置に回動される動作に連動して、前記第１の回動手段を第２の位置から第１の位置に回動させる手段を有する画像表示装置。
【請求項２】
画像記録又は再生手段と、画像表示手段、画像表示手段保持部材を有し、前記画像表示手段が、前記画像表示手段保持部材に対し、第１の位置と第２の位置とを相対的に回動可能にする第１の回動手段と、前記画像表示手段保持部材が機器本体に対し、第３の位置と第４の位置とを相対的に回動可能にする第２の回動手段を具備し、前記第２の回動手段を第４の位置から第３の位置に回動される動作に連動して、前記第１の回動手段を第２の位置から第１の位置に回動させる手段を有する画像表示装置。
【請求項３】
通信手段と、画像表示手段、画像表示手段保持部材を有し、前記画像表示手段が、前記画像表示手段保持部材に対し、第１の位置と第２の位置とを相対的に回動可能にする第１の回動手段と、前記画像表示手段保持部材が機器本体に対し、第３の位置と第４の位置とを相対的に回動可能にする第２の回動手段を具備し、前記第２の回動手段を第４の位置から第３の位置に回動される動作に連動して、前記第１の回動手段を第２の位置から第１の位置に回動させる手段を有する画像表示装置。
【請求項４】
第１の回動手段は、画像表示を縦位置又は横位置に切り換えるものであることを特徴とした請求項１乃至請求項３の何れか１項に記載の画像表示装置。
【請求項５】
第２の回動手段は、前記画像表示手段及び画像表示手段保持部材を、開閉収納するものであることを特徴とした請求項１乃至請求項３の何れか１項に記載の画像表示装置。
【請求項６】
第２の回動手段に連動して第１の回動手段が動作する機構は、第２の回動手段動作角が所定の角度に到達した際に連動することを特徴とした請求項１乃至請求項３の何れか１項に記載の画像表示装置。
【請求項７】
第２の回動手段に連動して第１の回動手段が動作する機構は、第２の回動手段により前記画像表示手段及び画像表示手段保持部材が閉じて収納状態になった際に連動することを特徴とした請求項１乃至請求項３の何れか１項に記載の画像表示装置。
【請求項８】
第２の回動手段に連動して第１の回動手段が動作する機構は、前記画像表示手段を画像表示手段保持部材に対して回転方向に付勢する付勢手段及び回転を停止・解除する突起部材を有することを特徴とした請求項１乃至請求項３の何れか１項に記載の画像表示装置。
【請求項９】
第２の回動手段に連動して第１の回動手段が動作した場合、第１の回動手段の動作により、前記画像表示手段の、前記画像表示手段保持部材又は本体に対する出っ張り量を少なくなることを特徴とした請求項１乃至請求項３の何れか１項に記載の画像表示装置。
【請求項１０】
第２の回動手段に連動して第１の回動手段が動作する機構は、前記画像表示手段を画像表示手段保持部材に対して電動により回転させることを特徴とした請求項１乃至請求項３の何れか１項に記載の画像表示装置。
【発明の詳細な説明】
【技術分野】
【０００１】
本発明は、画像表示装置に関するものである。
【背景技術】
【０００２】
従来、画像表示手段を有するカメラ、ビデオカメラ、携帯電話等において、画像表示ユニットを機械的に縦位置又は横位置に回転させる機器が考案されている。目的は、縦位置・横位置両方において、画面の大きさを最大限に利用して視認性を良くするためである。
【０００３】
例えばカメラにおける従来例としては、特許文献１のようなものがあり、携帯電話における従来例としては、特許文献２，３などが挙げられる。
【先行技術文献】
【特許文献】
【０００４】
【特許文献１】特開2001-320611号公報
【特許文献２】特開2001-211576号公報
【特許文献３】特開2004-135360号公報
【発明の概要】
【発明が解決しようとする課題】
【０００５】
しかしながら、上記従来例においては、機器使用状態において、画像表示手段を縦位置あるいは横位置どちらかに保持しているとする。そこでそのまま画像表示手段を本体に収納しようとすると、どちらか片方の位置は必ず収納不能、あるいは収納できたとしても画像表示手段が本体から出っ張ってしまう。よってユーザーは、あらかじめ縦位置あるいは横位置どちらか収納に適した位置に回転させてから収納する。又は収納してから画像表示手段を回転する必要があった。
【課題を解決するための手段】
【０００６】
本発明は、以下手段により上記課題を解決すべく発明されたものである。
１．画像表示手段が、前記画像表示手段保持部材に保持され、前記画像表示手段保持部材に対して回動する第１の回動手段と、画像表示手段及び画像表示手段保持部材が一体となり本体対して回動する第２の回動手段を具備し、第２の回動手段に連動して第１の回動手段が動作する機構を備えた。（請求項１,２，３）
２．前記第１の回動手段により、画像表示を縦位置・横位置切り換え機構として動作させた。（請求項４）
３．前記第２の回動手段により、画像表示手段及び画像表示手段保持部材を、開閉収納する機構を備えた。（請求項５）
４．前記第２の回動手段に連動して第１の回動手段が動作する機構は、第２の回動手段動作角が所定の角度に到達した際に連動する機構とした。（請求項６）
５．前記第２の回動手段に連動して第１の回動手段が動作する機構は、第２の回動手段により前記画像表示手段及び画像表示手段保持部材が閉じて収納状態になった際に連動する機構とした。（請求項７）
６．前記第２の回動手段に連動して第１の回動手段が動作する機構は、前記画像表示手段を画像表示手段保持部材に対して回転方向に付勢する付勢手段及び回転を停止・解除する突起部材を有する機構とした。（請求項８）
７．前記第２の回動手段に連動して第１の回動手段が動作した場合、第１の回動手段の動作により、前記画像表示手段の、前記画像表示手段保持部材又は本体に対する出っ張り量が少なくなる構造とした。（請求項９）
８．前記第２の回動手段に連動して第１の回動手段が動作する機構は、電動による回転機構とした。（請求項１０）
【発明の効果】
【０００７】
本発明によれば、以下の効果を得ることができる。
【０００８】
機器使用状態において、画像表示手段を縦位置あるいは横位置どちらに保持していても、そのまま画像表示手段を本体に収納した際、自動的に画像表示手段が本体から出っ張らない位置に回転してから収納することができる。
【０００９】
よって、ユーザーは収納時、手動で本体から出っ張らない位置に回転してから収納する必要が無くなった。
【図面の簡単な説明】
【００１０】
【図１】第１の実施例によるビデオカメラ表示部の動作図であって、（ａ）は横位置使用時、（ｂ）は縦位置使用時、（ｃ）は収納時過渡状態、（ｄ）は収納時
【図２】第１の実施例によるビデオカメラ表示部の分解図
【図３】第１の実施例によるビデオカメラ表示部の分解図（表示ユニット背面）
【図４】第１の実施例による表示回転軸の断面図（断面A-A）
【図５】第１の実施例による回転ロック部の断面図（断面B-B）
【図６】第１の実施例による回転ロック部の分解図
【図７】第２の実施例によるビデオカメラ表示部の動作図であって、（ａ）は横位置使用時、（ｂ）は縦位置使用時、（ｃ）は収納時過渡状態、（ｄ）は収納時
【図８】第３の実施例による携帯電話表示部の動作図であって、（ａ）は縦位置使用時、（ｂ）は横位置使用時、（ｃ）は収納時過渡状態、（ｄ）は収納時
【図９】第４の実施例による携帯電話表示部の動作図であって、（ａ）は縦位置使用時、（ｂ）は横位置使用時、（ｃ）は収納時過渡状態、（ｄ）は収納時
【図１０】第５の実施例によるビデオカメラ表示部の動作図であって、（ａ）は横位置使用時、（ｂ）は縦位置使用時、（ｃ）は収納時過渡状態、（ｄ）は収納時
【図１１】第５の実施例によるビデオカメラ表示部の分解図
【図１２】第５の実施例によるビデオカメラ表示部の分解図（表示ユニット背面）
【図１３】第５の実施例による表示回転軸の断面図（断面A-A）
【図１４】第５の実施例によるブロック図
【図１５】第５の実施例によるフローチャート
【発明を実施するための形態】
【００１１】
以下、本発明を実施するための形態に関して説明する。
【００１２】
［実施例１］
図１は本発明をビデオカメラに採用した例であり、ビデオカメラ表示部の動作図である。
【００１３】
ここで、図１の（ａ）は表示部を横位置で使用した際の図、（ｂ）は表示部を縦位置で使用した際の図である。（ｃ）は表示部を収納する際の過渡状態における図、（ｄ）は表示部を収納した際の図である。
【００１４】
上記図において、001は表示部を収納している表示部ベース、002は表示用LCDユニット、003はLCD表示部、004は撮影用レンズ、005はビデオカメラ本体、006はズームスイッチ、007は撮影を開始、停止するためのスタート/ストップスイッチ、009は前記表示部ベース001をビデオカメラ本体005に対して回転させるためのヒンジユニット、010はLCD表示ユニット回転方向（縦位置使用時）、012は表示部ベース001を収納する際の表示部収納回転方向、013は表示用LCDユニットの回転を止めるための切り欠き部、014は前記きり欠き部が当接する突起部、015は収納時のLCD表示ユニット回転方向、027はLCD表示ユニット回転方向010を回転規制するためのロック解除ピン、028は同様に規制するためのロックピンである。
【００１５】
次に、上記図１を参照して、本実施例によるビデオカメラの操作方法及び動作を説明する。
【００１６】
通常使用時は、一般のビデオカメラと同様、（ａ）のように表示部ベース001と表示用LCDユニット002を横に開いて撮影・再生する。
【００１７】
次に縦位置撮影・再生を行いたい場合は、（ｂ）のように表示用LCDユニット002をLCD表示ユニット回転方向010方向へ手動で90度回転させる。このとき後述する機構により、表示用LCDユニット002は90度で止まるように構成されている。
【００１８】
更に表示部ベース001と表示用LCDユニット002を収納する場合は、図２の状態のまま表示部収納回転方向012へ回転させて閉じる。すると（ｃ）のように表示用LCDユニット002は本体形状から出っ張った状態になる。が、表示部ベース001と表示用LCDユニット002が閉じた瞬間、表示用LCDユニット002は、LCD表示ユニット回転方向015に自動的に回転し、（ｄ）のように本体形状内に収納される。
【００１９】
図２、３、４、５、６は本発明の機構詳細図であり、この構成と動作を説明する。
【００２０】
ここで、図２は表示部の分解図、図３は表示部の分解図（表示ユニット背面）、図４は表示回転軸の断面図（図１（ｂ）における断面A-A）、図５は回転ロック部の断面図（図１（ｂ）における断面B-B）、図６は回転ロック部の分解図である。
【００２１】
上記図において、008a、008bはベースカバー1_020に設置された後述するピンを通すピン穴a及びピン穴ｂ、011はバネ押さえ板030に設けられた穴、016はねじりコイルバネ、017は前記ねじりコイルバネ016に掛かる突起（ベース側）、018はバネ収納凹部、019は回転軸勘合穴、020は表示部ベース001を構成するベースカバー1、021はLCDユニット002を収納するユニット収納凹部、022はLCDユニット002をベースカバー1_020へ止める止め板、023はネジ穴、024はLCD電気系とカメラ本体電気系を接続するワイヤー、025は止めネジ、026はLCDユニット002を回転規制するためのロック部材、027は同様に規制するロック解除ピン、028はロックピン、029はコイルバネ、030は前記コイルバネ029を押さえるバネ押さえ板、031はベースカバー2、032は前記ねじりコイルバネ016のねじりコイルバネアーム1、同じく033はねじりコイルバネアーム2、034は前記ねじりコイルバネ016に掛かる突起（LCDユニット側）、035はネジ固定穴、036は回転軸037に設けられたワイヤー通し穴、037は回転軸、038はバネ止め板022に設けられたワイヤー通し穴、039はバネ押さえ板030を押さえる押さえリブ1、040は同じく押さえリブ2、041はバネガイドピン、042はロック部材026をガイドするガイドリブである。
【００２２】
次に、上記図２、３、４、５、６を参照して、本実施例による機構部品構成詳細を説明する。
【００２３】
図２、図３において、LCDユニット002の背面には、カバーと一体となった回転軸037が設置されており、この根元にねじりコイルバネ016が挿入されている。また、このねじりコイルバネ016のねじりコイルバネアーム1_032とねじりコイルバネアーム2_033は、それぞれ組み立て時に突起（LCDユニット側）034及び突起（ベース側）017に掛けられる。また回転軸037は、ベースカバー1_020に設けられた回転軸勘合穴019に通して止め板022を介して２本の止めネジ025で固定される。このときLCD電気系ワイヤー024は、ワイヤー通し穴（回転軸）036、回転軸勘合穴019、ワイヤー通し穴（止め板）038を通してヒンジユニット009部（詳細は図指せず）を介してビデオカメラ本体電気系へと接続される。
【００２４】
以上の構成の断面図が図７である。この構成によりLCDユニット002は、ねじりコイルバネ016により表示部ベース001に対し、常にLCD表示ユニット回転方向（縦位置使用時）010と反対方向に回転するよう付勢されることになる。ただし、LCDユニット002に設けられた切り欠き部013と、ベースカバー1_020に設けられた突起部014が当接することにより、通常状態では図１の（ａ）に示すようにLCDユニット002が真横に配置されることになる。
【００２５】
また、ロック部材026は、ベースカバー1_020に設けられたピン穴a_008a及びピン穴ｂ_008ｂを貫通して挿入され、コイルバネ029を入れてからバネ押さえ板030で押さえられる。上記詳細構成は図５、図６に示してある。ここでロック部材026は、押さえリブ1_039、押さえリブ2_040、ガイドリブ042にてガイドされ、バネ押さえ板030を挿入することにより押さえリブ1_039、押さえリブ2_040の先端に設けられた爪形状部にてはめ込まれ、固定される。これにより、ロック部材026は常にロック解除ピン027及びロックピン028が突出する方向に付勢されることになる。
【００２６】
上述のような構成により、図１（ｂ）のようにLCDユニット002を縦向きに回転させるとロックピン028は突出し、LCD表示ユニット回転方向010と逆の方向に回転することを止めるため、基本的にLCDユニット002は縦向きのまま固定される。
【００２７】
また、このままにして図１（ｃ）のように表示部を表示部収納回転方向012へ回転させて収納すると、ロック解除ピン027はビデオカメラ本体の壁に突き当たり、押されてロック部材026が内部へスライドし、ロックピン028が沈み、ロックがはずれてLCDユニット002はLCD表示ユニット回転方向（収納時）015に回転して元の横位置状態に戻る（図１（ｄ））。
【００２８】
なお、図１（ｂ）の状態ロック解除ピン027を指で押すことにより、このままLCDユニット022を横位置に戻すことも可能である。
【００２９】
上記構成により、ビデオカメラにおいて通常使用時の画像表示手段が横位置の場合、画像表示手段を回転して縦位置に保持することのできる構成とした。更に縦位置のまま画像表示手段を本体に収納した際、自動的に画像表示手段が回転して横位置となる。このため本体から出っ張らない位置で収納することができる。
【００３０】
よって、ユーザーは画像表示手段収納時、手動で本体から出っ張らない位置に回転してから収納する必要が無くなった。
【００３１】
［実施例２］
図７は本発明をビデオカメラに採用した例であり、ビデオカメラ表示部の動作図である。
【００３２】
ここで、図７の（ａ）は表示部を横位置で使用した際の図、（ｂ）は表示部を縦位置で使用した際の図である。（ｃ）は表示部を収納する際の過渡状態における図、（ｄ）は表示部を収納した際の図である。
【００３３】
上記図において、043はロック解除ピン、044はロックピン、045はLCD表示ユニット回転方向（縦位置使用時）、046は切り欠き部、047は突起部、048はLCD表示ユニット回転方向（収納時）、066は表示部ベース、067はLCDユニットであり、その他の構成は実施例１と同一である。
【００３４】
次に、上記図７を参照して、本実施例によるビデオカメラの操作方法及び動作を説明する。
【００３５】
基本的な構造は、実施例１と同一であるが、ロック解除ピン043、ロックピン044、切り欠き部046、突起部047が図７（ｂ）においてLCDユニット067の右側に配置されている。また、LCD表示ユニット回転方向（縦位置使用時）045は、実施例１と反対方向となっている。
【００３６】
以上のような構成により、図７（ｃ）のように、表示部ベース066とLCDユニット067を表示部収納回転方向012に回転させて収納すると、収納角度θ1にてロック解除ピン043はビデオカメラ本体の壁に突き当たり、ロック部材044が沈み、ロックがはずれてLCDユニット067はLCD表示ユニット回転方向（収納時）048に回転して元の横位置状態に戻る。
【００３７】
ここでロック解除ピン043は、収納角度θ1にてロックがはずれるような長さになっている。
【００３８】
上記構成により、ビデオカメラにおいて通常使用時の画像表示手段が横位置の場合、画像表示手段を回転して縦位置に保持することのできる構成とした。更に縦位置のまま画像表示手段を本体に収納した際、所定の収納角度になると自動的に画像表示手段が回転して横位置となる。このため本体から出っ張らない位置で収納することができる。
【００３９】
よって、ユーザーは画像表示手段収納時、手動で本体から出っ張らない位置に回転してから収納する必要が無くなった。
【００４０】
［実施例３］
図８は本発明を折たたみ式携帯電話に採用した例であり、携帯電話表示部の動作図である。
【００４１】
ここで、図８の（ａ）は縦位置使用時、（ｂ）は横位置使用時、（ｃ）は収納時過渡状態、（ｄ）は収納時である。
【００４２】
上記図において、049はマイク、050はスピーカ、051は表示部ベース、052はLCDユニット、053はLCD表示部、054は本体ユニット、055は操作キー、056はLCD表示ユニット回転方向（横位置使用時）、057はロック解除ピン、058はロックピン、059は切り欠き部、060は突起部、061は表示部収納回転方向、062はLCD表示ユニット回転方向（収納時）である。
【００４３】
上記構成において、通常使用時のLCDユニット052が縦位置であること以外は、基本操作及び動作は実施例１と同一のため説明は省略する。
【００４４】
上記構成により、携帯電話において通常使用時の画像表示手段が縦位置の場合、画像表示手段を回転して横位置に保持することのできる構成とした。更に横位置のまま画像表示手段を本体に収納した際、自動的に画像表示手段が回転して縦位置となる。このため本体から出っ張らない位置で収納することができる。
【００４５】
よって、ユーザーは画像表示手段収納時、手動で本体から出っ張らない位置に回転してから収納する必要が無くなった。
【００４６】
［実施例４］
図９は本発明を折たたみ式携帯電話に採用した例であり、携帯電話表示部の動作図である。
【００４７】
ここで、図９の（ａ）は縦位置使用時、（ｂ）は横位置使用時、（ｃ）は収納時過渡状態、（ｄ）は収納時である。
【００４８】
上記図において、063はロック解除ピン、064はロックピンである。なお、その他の部品は実施例２と同一のため省略する。
【００４９】
上記構成において、通常使用時のLCDユニット052が縦位置であること以外は、基本操作及び動作は実施例２と同一のため説明は省略する。
【００５０】
上記構成により、携帯電話において通常使用時の画像表示手段が縦位置の場合、画像表示手段を回転して横位置に保持することのできる構成とした。更に横位置のまま画像表示手段を本体に収納した際、所定の収納角度になると自動的に画像表示手段が回転して縦位置となる。このため本体から出っ張らない位置で収納することができる。
【００５１】
よって、ユーザーは画像表示手段収納時、手動で本体から出っ張らない位置に回転してから収納する必要が無くなった。
【００５２】
［実施例５］
図１０は本発明をビデオカメラに採用した例であり、ビデオカメラ表示部の動作図である。
【００５３】
ここで、図１０の（ａ）は表示部を横位置で使用した際の図、（ｂ）は表示部を縦位置で使用した際の図、（ｃ）は表示部を収納する際の過渡状態における図、（ｄ）は表示部を収納した際の図である。
【００５４】
上記図において、084はLCDユニット、112は前記LCDユニット084が設けられた表示部ベースである。068はLCD開閉検出プッシュスイッチであり、LCDが閉じた状態でビデオカメラ本体側面に押されてONとなるスイッチ。また069は、LCD回転タクトスイッチであり、ユーザーがこのスイッチを押すことで、LCDユニット084を縦又は横へ回転させるためのスイッチである。なお、このLCD回転タクトスイッチ069は、一段凹部に設置され、LCDユニット084が閉じられ、収納された状態においても本体側面で押されることは無いよう配置されている。
【００５５】
その他の構成は第１の実施例と同一のため説明を省略する。
【００５６】
また、操作方法及び動作に関して第１の実施例と異なる点は、図１０（ａ）においてLCD表示ユニット回転方向010を回転させる操作である。第１の実施例はLCDユニット002を手動で回転させるが、本実施例においては、LCD回転タクトスイッチ069を押すことによって電動でLCDユニット084を回転させるものである。その他の操作方法及び動作は、第１の実施例と同一のため説明を省略する。
【００５７】
図１１、１２、１３は本発明の機構詳細図であり、この構成と動作を説明する。
【００５８】
ここで、図１１は表示部の分解図、図１２は表示部の分解図（表示ユニット背面）、図１３は表示回転軸の断面図（図２における断面C-C）である。
【００５９】
上記図において、084はLCDユニット、083は前記LCDユニット084が回転可能に固定されているベースカバー１。070はLCDユニット084をベースカバー１_083に固定するための止め板、071、072は、止め板に設置された軸通し穴とネジ穴。078、079はLCDユニット084の縦位置、横位置を検出するフォトカプラ（縦）、フォトカプラ（横）。073、074は前記フォトカプラ用穴（縦）、フォトカプラ用穴（横）。なお092はLCDユニット084内側側面に配置された反射板であり、LCDユニット084の回転により前記２つのフォトカプラの位置に前記反射板092が合致すると、フォトカプラの発する光が反射して戻り、フォトカプラはON状態となる。080は表示部ベース112の開閉を検出するプッシュスイッチユニット、075は前記プッシュスイッチ用穴。081はLCDユニット084を回転させる操作のためのタクトスイッチユニット、076は前記タクトスイッチ用穴、082はタクトスイッチボタン。090はLCDユニット084に設置された回転軸、077はベースカバー１_083に設置され、前記回転軸090の根本と勘合する回転軸勘合穴、088は前記回転軸090に一体で形成された平歯車。087はLCDユニット084を回転させるためのモーター、086は前記モーター087が固定されているモーターシャーシ、091は前記モーターシャーシ086にモーター087を固定するためのモーター止めネジ、085はモーターシャーシ086をベースカバー１_083に固定するためのモーターシャーシ止めネジである。089はモーター087の軸に固定された平歯車であり、LCD側の前記平歯車088に噛み合っており、モーター087の回転を減速して伝達し、LCDユニット084を回転させることが可能となる。なお、その他の構成は、第１の実施例と同一のため説明は省略する。
【００６０】
上記構成において、本実施例における動作を説明する。
【００６１】
例えばまず、図１０（ａ）のようにLCDユニット084が横位置の状態であるとする。この状態において、反射板092はフォトカプラ（横）079に合致した位置にあり、フォトカプラ（横）079はON状態となりLCDユニット084が横位置の状態であることが検出されている。ここでモーター099へ電流を流してLCD表示ユニット回転方向010へ回転させる。そして反射板092がフォトカプラ（縦）078に合致した位置でモーター099を止める。これによりLCDユニット084が縦位置の状態になると同時に、反射板092がフォトカプラ（縦）078に合致した状態のままなので、縦位置の状態であることが検出されている。
【００６２】
このように、２つのフォトカプラ078_079による位置検出と回転用モーター087により、LCDユニット084の縦位置、横位置切り換えが電動で可能となる。
【００６３】
図１４は本実施例によるブロック図である。
【００６４】
ここで、093はレンズ、094は撮像素子、095は画像処理回路、096はビデオカメラ全体を制御しているCPU、097は画像記録手段、098は画像表示回路、099は前記LCDユニット084を回転させるためのモーター、100はLCD開閉検出プッシュスイッチ、101はLCD開閉タクトスイッチ、102はフォトカプラ（縦）、103はフォトカプラ（横）である。
【００６５】
次に上記構成における動作を説明する。まずレンズ093から入った結像光は、撮像素子094により光電変換され画像処理回路095により所定の画像データに変換される。変換された画像データは、メモリー等の画像記録手段097に記録される。また、画像表示回路098によって撮影時や再生時に表示され、使用者が画像を確認することができる。
【００６６】
更にCPU_096は、前述画像処理回路095、画像記録手段097、画像表示回路098、そして前記機構解説で説明でしたモーター099、LCD開閉検出プッシュスイッチ100、LCD開閉タクトスイッチ101、フォトカプラ（縦）102、フォトカプラ（横）103の部品を含めて動作を制御している。
【００６７】
図１５は本実施例によるCPU_096の制御動作を示すフローチャートであり、以下その動作を説明する。
【００６８】
まずLCD開閉検出プッシュスイッチがONかどうかを判断する（105）。ここでONであれば106へ進み、OFFであれば108へ進む。
【００６９】
106においてフォトカプラ縦がON状態であれば横位置方向へモーターを回転し、フォトカプラ横がONとなった状態でモーターを止め、105へ戻る。ここでOFFであればそのまま105へ戻る。
【００７０】
一方108において、LCD開閉タクトスイッチがONかどうかを判断する。ここでONであれば109へ進み、OFFであれば105へ戻る。
【００７１】
109においてフォトカプラ縦がON状態であれば横位置方向へモーターを回転し、フォトカプラ横がONとなった状態でモーターを止め、105へ戻る。また、フォトカプラ縦がOFF状態であれば縦位置方向へモーターを回転し、フォトカプラ縦がONとなった状態でモーターを止め、105へ戻る。
【００７２】
上記構成により、ビデオカメラにおいて通常使用時の画像表示手段が横位置の場合、画像表示手段を電動により回転して縦位置に保持することのできる構成とした。更に縦位置のまま画像表示手段を本体に収納した際、自動的に画像表示手段が回転して横位置となる。このため本体から出っ張らない位置で収納することができる。
【００７３】
よって、ユーザーは画像表示手段収納時、一旦本体から出っ張らない位置に回転してから収納する必要が無くなった。
【符号の説明】
【００７４】
001・・・表示部ベース（第１の実施例）
002・・・LCDユニット（第１の実施例）
003・・・LCD表示部（第１の実施例）
004・・・レンズ
005・・・ビデオカメラ本体
006・・・ズームスイッチ
007・・・スタート/ストップスイッチ
008a・・・ピン穴a
008ｂ・・・ピン穴ｂ
009・・・ヒンジユニット
010・・・LCD表示ユニット回転方向（縦位置使用時）（第１の実施例）
011・・・穴
012・・・表示部収納回転方向（第１の実施例）
013・・・切り欠き部（第１の実施例）
014・・・突起部（第１の実施例）
015・・・LCD表示ユニット回転方向（収納時）（第１の実施例）
016・・・ねじりコイルバネ
017・・・突起（ベース側）
018・・・バネ収納凹部
019・・・回転軸勘合穴
020・・・ベースカバー1
021・・・ユニット収納凹部
022・・・止め板
023・・・ネジ穴
024・・・ワイヤー
025・・・止めネジ
026・・・ロック部材
027・・・ロック解除ピン（第１の実施例）
028・・・ロックピン（第１の実施例）
029・・・コイルバネ
030・・・バネ押さえ板
031・・・ベースカバー2
032・・・ねじりコイルバネアーム1
033・・・ねじりコイルバネアーム2
034・・・突起（LCDユニット側）
035・・・ネジ固定穴
036・・・ワイヤー通し穴（回転軸）
037・・・回転軸
038・・・ワイヤー通し穴（止め板）
039・・・押さえリブ1
040・・・押さえリブ2
041・・・バネガイドピン
042・・・ガイドリブ
043・・・ロック解除ピン（第２の実施例）
044・・・ロックピン（第２の実施例）
045・・・LCD表示ユニット回転方向（縦位置使用時）（第２の実施例）
046・・・切り欠き部（第２の実施例）
047・・・突起部（第２の実施例）
048・・・LCD表示ユニット回転方向（収納時）（第２の実施例）
049・・・マイク
050・・・スピーカ
051・・・表示部ベース（第３の実施例）
052・・・LCDユニット（第３の実施例）
053・・・LCD表示部（第３の実施例）
054・・・本体ユニット
055・・・操作キー
056・・・LCD表示ユニット回転方向（横位置使用時）（第３の実施例）
057・・・ロック解除ピン（第３の実施例）
058・・・ロックピン（第３の実施例）
059・・・切り欠き部（第３の実施例）
060・・・突起部（第３の実施例）
061・・・表示部収納回転方向（第３の実施例）
062・・・LCD表示ユニット回転方向（収納時）（第３の実施例）
063・・・ロック解除ピン（第４の実施例）
064・・・ロックピン（第４の実施例）
065・・・回転ヒンジ
066・・・表示部ベース（第２の実施例）
067・・・LCDユニット（第２の実施例）
068・・・LCD開閉検出プッシュスイッチ
069・・・LCD回転タクトスイッチ
070・・・止め板（第５の実施例）
071・・・軸通し穴
072・・・ネジ穴（第５の実施例）
073・・・フォトカプラ用穴（縦）
074・・・フォトカプラ用穴（横）
075・・・プッシュスイッチ用穴
076・・・タクトスイッチ用穴
077・・・回転軸勘合穴（第５の実施例）
078・・・フォトカプラ（縦）
079・・・フォトカプラ（横）
080・・・プッシュスイッチユニット
081・・・タクトスイッチユニット
082・・・タクトスイッチボタン
083・・・ベースカバー１（第５の実施例）
084・・・LCDユニット（第５の実施例）
085・・・モーターシャーシ止めネジ
086・・・モーターシャーシ
087・・・モーター
088・・・平歯車（LCD側）
089・・・平歯車（モーター側）
090・・・回転軸（第５の実施例）
091・・・モーター止めネジ
092・・・反射板
093・・・レンズ
094・・・撮像素子
095・・・画像処理回路
096・・・CPU
097・・・画像記録手段
098・・・画像表示回路
099・・・モーター
100・・・LCD開閉検出プッシュスイッチ
101・・・LCD開閉タクトスイッチ
102・・・フォトカプラ（縦）
103・・・フォトカプラ（横）
112・・・表示部ベース（第５の実施例）
【図１】
2012123077.tif 000003
【図２】
2012123077.tif 000004
【図３】
2012123077.tif 000005
【図４】
2012123077.tif 000006
【図５】
2012123077.tif 000007
【図６】
2012123077.tif 000008
【図７】
2012123077.tif 000009
【図８】
2012123077.tif 000010
【図９】
2012123077.tif 000011
【図１０】
2012123077.tif 000012
【図１１】
2012123077.tif 000013
【図１２】
2012123077.tif 000014
【図１３】
2012123077.tif 000015
【図１４】
2012123077.tif 000016
【図１５】
2012123077.tif 000017